(57)【要約】【課題】シャーシベースと印刷回路基板との結合構造が改善されたプラズマディスプレイ装置を提供する。【解決手段】ガス放電を利用して画像を具現するプラズマディスプレイパネル１１０と、プラズマディスプレイパネル１１０の後方に配置されたシャーシベース１２０と、シャーシベース１２０の後方に配置され、プラズマディスプレイパネル１１０を駆動させるものであって、前方に基板側コネクタ１４２がそれぞれ備えられた印刷回路基板１４０と、プラズマディスプレイパネル１１０と印刷回路基板１４０との間、及び印刷回路基板１４０同士の間を電気的に接続するものであって、配線部材１５１、及び配線部材１５１の少なくとも一端に接続され、一側がシャーシベース１２０と固定され、他側が基板側コネクタ１４２と結合されるケーブル側コネクタ１５２が備えられた連結ケーブル１５０と、を備えるプラズマディスプレイ装置１００である。【選択図】図３
2006171733.tif 000002
【特許請求の範囲】
【請求項１】
ガス放電を利用して画像を具現するプラズマディスプレイパネルと、
前記プラズマディスプレイパネルの後方に配置されたシャーシベースと、
前記シャーシベースの後方に配置され、前記プラズマディスプレイパネルを駆動させるものであって、前方に基板側コネクタがそれぞれ備えられた印刷回路基板と、
前記プラズマディスプレイパネルと印刷回路基板との間、及び前記印刷回路基板同士の間を電気的に接続するものであって、配線部材、及び前記配線部材の少なくとも一端に接続され、その一側が前記シャーシベースと固定され、その他側が前記基板側コネクタと結合されるケーブル側コネクタが備えられた連結ケーブルと、を備えることを特徴とするプラズマディスプレイ装置。
【請求項２】
前記シャーシベースとケーブル側コネクタとの間は、機械的なジョイントにより固定されることを特徴とする請求項１に記載のプラズマディスプレイ装置。
【請求項３】
前記シャーシベースとケーブル側コネクタとの間は、前記シャーシベースに形成された挿入孔と、前記挿入孔の両側エッジがそれぞれ結合できるように、前記ケーブル側コネクタにフック形状にそれぞれ形成されて互いに離隔された一対の固定部と、により固定されたことを特徴とする請求項１に記載のプラズマディスプレイ装置。
【請求項４】
前記シャーシベースとケーブル側コネクタとの間は、これらの間に介在された両面テープにより固定されることを特徴とする請求項１に記載のプラズマディスプレイ装置。
【請求項５】
前記基板側コネクタとケーブル側コネクタのうちいずれか一つは、ソケットコネクタからなり、残りの一つは、プラグコネクタからなることによって、前記基板側コネクタとケーブル側コネクタとが相互結合されたことを特徴とする請求項１に記載のプラズマディスプレイ装置。
【請求項６】
前記基板側コネクタとケーブル側コネクタのうちいずれか一つには、端子孔が形成されており、残りの一つには、端子孔に挿入可能な端子ピンが形成されたことを特徴とする請求項５に記載のプラズマディスプレイ装置。
【請求項７】
前記配線部材は、前記シャーシベースに接触し、当該シャーシベースと平行に配置されたことを特徴とする請求項１に記載のプラズマディスプレイ装置。
【請求項８】
前記印刷回路基板は、当該印刷回路基板に備えられた基板側コネクタと前記連結ケーブルに備えられたケーブル側コネクタとの結合力により、前記シャーシベースに対して装着されたことを特徴とする請求項１に記載のプラズマディスプレイ装置。
【請求項９】
前記シャーシベースに対して印刷回路基板が装着されたことを補助するために、補助締結手段がさらに備えられたことを特徴とする請求項８に記載のプラズマディスプレイ装置。
【請求項１０】
前記補助締結手段は、前記シャーシベースの背面に形成されたボス、及び前記印刷回路基板を貫通して前記ボスと螺合するスクリューを備えることを特徴とする請求項９に記載のプラズマディスプレイ装置。
【発明の詳細な説明】
【技術分野】
【０００１】
本発明は、プラズマディスプレイ装置に係り、特に、シャーシベースと印刷回路基板との結合構造が改善されたプラズマディスプレイ装置に関する。
【背景技術】
【０００２】
プラズマディスプレイ装置は、ガス放電現象を利用して画像を表示する平板ディスプレイであって、表示容量、輝度、コントラスト、残像及び視野角などの各種表示能力にすぐれ、薄型であり、かつ大画面表示が可能であるので、陰極線管を代替できる次世代の平板ディスプレイとして注目されている。
【０００３】
このようなプラズマディスプレイ装置は、プラズマディスプレイパネル（ＰＤＰ）、前記ＰＤＰと平行に配置されるシャーシベース、前記シャーシベースの後方に装着されてＰＤＰを駆動させる印刷回路基板、及び前記ＰＤＰ、シャーシベース、印刷回路基板を収容するケースを備えて構成されることが一般的である。
【０００４】
一方、前記ＰＤＰを駆動させる印刷回路基板には、各種素子が備えられるが、このような印刷回路基板は、図１に示すように、シャーシベースに装着される。
【０００５】
図１に示すように、シャーシベース１０には、印刷回路基板２０に向かって突出したボス１１が形成されており、前記ボス１１には、ねじ溝１２がそれぞれ形成されている。印刷回路基板２０には、ボス１１と対応するように締結孔２１が形成されている。前記締結孔２１を通じてスクリュー３０が挿入された後に、ボス１１のねじ溝１２に螺合されることによって、シャーシベース１０と印刷回路基板２０とが結合されて固定される。このようにシャーシベース１０に装着された印刷回路基板２０同士は、連結ケーブル４０により電気的に接続される。
【０００６】
しかし、従来によれば、印刷回路基板２０をシャーシベース１０に装着するためには、スクリュー３０を印刷回路基板２０の締結孔２１に通過させた後に回転させて、ボス１１のねじ溝１２と結合させなければならないが、このようなスクリュー３０を回転させる作業は長時間がかかり、作業者の誤りにより印刷回路基板２０が損傷される恐れがある。そして、シャーシベース１０にボス１１が複数個備えられるので、シャーシベース１０にボス１１を形成するための工程及びコストが増加する。さらに、印刷回路基板２０間を接続する連結ケーブル４０は、ＥＭＩ（Ｅｌｅｃｔｒｏ  Ｍａｇｎｅｔｉｃ  Ｉｎｔｅｒｆｅｒｅｎｃｅ）の低減及び固定のために、シャーシベース１０に堅固に付着されるが、これによる工程及びコストが増加するという問題がある。
【発明の開示】
【発明が解決しようとする課題】
【０００７】
本発明の目的は、印刷回路基板の間を接続する連結ケーブルをシャーシベースに設置することによって、印刷回路基板とシャーシベースとの組立性が向上できるプラズマディスプレイ装置を提供するところにある。
【課題を解決するための手段】
【０００８】
前記の目的を達成するための本発明によるプラズマディスプレイ装置は、ガス放電を利用して画像を具現するＰＤＰと、前記ＰＤＰの後方に配置されたシャーシベースと、前記シャーシベースの後方に配置され、前記ＰＤＰを駆動させるものであって、前方に基板側コネクタがそれぞれ備えられた印刷回路基板と、前記ＰＤＰと印刷回路基板との間、及び前記印刷回路基板同士の間を電気的に接続するものであって、配線部材、及び前記配線部材の少なくとも一端に接続され、一側が前記シャーシベースと固定され、他側が前記基板側コネクタと結合されるケーブル側コネクタが備えられた連結ケーブルと、を備える。
【０００９】
ここで、前記印刷回路基板は、当該印刷回路基板に備えられた基板側コネクタと、前記連結ケーブルに備えられたケーブル側コネクタとの結合力により、前記シャーシベースに対して装着されたことが望ましい。
【発明の効果】
【００１０】
本発明によれば、ケーブル側コネクタと基板側コネクタとの結合力のみでシャーシベースに対して印刷回路基板を装着できるので、従来のようにシャーシベースに別途のボスが備えられて、スクリューにより印刷回路基板がシャーシベースに装着される構造に比べて工程を低減できる。そして、ケーブル側コネクタの間に位置した配線部材が、印刷回路基板の後方を経ず、シャーシベースに接触されて配置されうるので、従来のように配線部材をシャーシベースに別途に付着する工程及びそれによるコストを低減でき、ＥＭＩを減少できる。さらに、ケーブル側コネクタがシャーシベースに設置されるので、ケーブル側コネクタを通じて回路の一部をシャーシベースに接地することができる。
【発明を実施するための最良の形態】
【００１１】
以下、添付された図面を参照して、本発明の実施形態を詳細に説明する。
【００１２】
図２は、本発明の一実施形態によるプラズマディスプレイ装置についての分離斜視図である。
【００１３】
図２に示すように、本発明の一実施形態によるプラズマディスプレイ装置１００には、画像が具現されるＰＤＰ１１０が備えられている。
【００１４】
前記ＰＤＰ１１０としては、色々な種類のＰＤＰのうちいずれか一つが採用されうるが、その一例として、面放電型の３電極構造を有する交流型ＰＤＰが採用されうる。
【００１５】
前記面放電型の３電極構造を有する交流型ＰＤＰは、前面パネル、及び前記前面パネルと対向して結合される背面パネルを備えて構成される。前記前面パネルには、前方に配置された前面基板、前記前面基板の背面に形成され、共通電極とスキャン電極との対からなる維持電極対、前記維持電極対を覆うように形成された前面誘電体層、及び前記前面誘電体層の背面に形成された保護膜が備えられうる。前記前面パネルと結合される背面パネルには、後方に配置された背面基板、前記背面基板の前面に形成され、前記維持電極対と交差する方向に延びたアドレス電極、前記アドレス電極を覆うように形成された背面誘電体層、前記背面誘電体層の前面に形成されて放電空間を限定する隔壁、及び前記放電空間内に配置された蛍光体層が備えられうる。ここで、前記放電空間は、前記維持電極対とアドレス電極とが交差する領域とそれぞれ対応し、前記放電空間内には、放電ガスが充填される。
【００１６】
前記のような構成を有するＰＤＰ１１０の後方には、シャーシベース１２０が配置されている。前記シャーシベース１２０は、アルミニウムのような素材で形成され、ＰＤＰ１１０を支持する一方、ＰＤＰ１１０から発生した熱を伝達させて外部に放出させる。前記シャーシベース１２０は、撓みや曲げ変形などを防止可能に、エッジには、後方に曲げられたベンディング部１２１が備えられうる。一方、前記シャーシベース１２０の後方には、図２に示すように、補強部材１２２が設置されうる。前記補強部材１２２は、金属素材からなり、シャーシベース１２０の背面に結合されることによって、シャーシベース１２０の撓みや曲げ変形などを防止し、これと共に、シャーシベース１２０から放熱される面積を増大させて、放熱効率を向上させる役割も果たす。
【００１７】
このようなシャーシベース１２０は、両面テープのような接着部材１３１によりＰＤＰ１１０と結合され、前記シャーシベース１２０とＰＤＰ１１０との間には、熱伝導媒体１３２が介在されることによって、ＰＤＰ１１０から発生した熱が前記熱伝導媒体１３２により外部に放出されうる。
【００１８】
そして、前記シャーシベース１２０の後方には、複数個の印刷回路基板１４０が設置されてＰＤＰ１１０を駆動させるが、前記印刷回路基板１４０は、ＰＤＰ１１０とシャーシベース１２０と共にケース（図示せず）により収容されることによって、プラズマディスプレイ装置１００を構成する。
【００１９】
前記印刷回路基板１４０には、ＰＤＰ１１０を駆動するための各種の電子部品１４１が装着されているが、前記電子部品１４１には、ＰＤＰ１１０に電源を供給するための部品と、ＰＤＰ１１０に画像を具現するために信号を印加する部品とが含まれる。すなわち、前記印刷回路基板１４０には、外部から電力が供給されて、それを必要な形態の電源に変換する機能を行う電源基板と、外部から供給された映像信号を論理演算して、ＰＤＰ１１０の駆動方式に合うように変換する機能を行うロジック基板と、前記ロジック基板により処理されたデータを一時的に保存する機能を行うバッファ基板とが含まれる。
【００２０】
前記印刷回路基板１４０は、連結ケーブル１５０により互いに電気的に接続され、このように電気的に接続された印刷回路基板１４０は、ＰＤＰ１１０と連結ケーブル１５０とにより電気的に接続されることによって、ＰＤＰ１１０を駆動させる。このように電気的に接続させるために、図３に示すように、印刷回路基板１４０には、基板側コネクタ１４２が備えられている。前記基板側コネクタ１４２は、印刷回路基板１４０に固定された状態で装着されており、前記印刷回路基板１４０に形成された回路パターンと接続されている。そして、前記連結ケーブル１５０には、絶縁フィルムに導電線が形成された配線部材１５１と、前記配線部材１５１の両端にそれぞれ接続されて結合されたケーブル側コネクタ１５２とが備えられている。一方、異方性導電フィルムなどにより、配線部材１５１の一端がＰＤＰ１１０に備えられた電極と接続されることもあるので、このような場合には、ＰＤＰ１１０と印刷回路基板１４０とを接続させる連結ケーブル１５０に、一つのケーブル側コネクタ１５２が備えられることもできる。
【００２１】
前記ケーブル側コネクタ１５２には、図４に示すように、配線部材１５１に形成された導電線と１対１に対応して接続された端子孔１５２ａが形成されており、基板側コネクタ１４２には、端子ピン１４２ａが形成されている。このように形成された端子孔１５２ａには、端子ピン１４２ａがそれぞれ１対１に対応して挿入されることによって、ケーブル側コネクタ１５２と基板側コネクタ１４２とが接続されうる。これと共に、図４に示すように、前記ケーブル側コネクタ１５２に基板側コネクタ１４２が結合されて、それらの間をさらに堅固に結合できるように、ケーブル側コネクタ１５２はプラグコネクタからなる一方、基板側コネクタ１４２はソケットコネクタからなる。しかし、これと逆に、ケーブル側コネクタがソケットコネクタからなり、基板側コネクタがプラグコネクタからなることも可能であり、ケーブル側コネクタに端子ピンが形成され、基板側コネクタに端子孔が形成されることも可能であるので、図示したものに必ずしも限定されない。
【００２２】
前記ケーブル側コネクタ１５２は、本発明の一形態によれば、端子孔１５２ａが形成されていない部位がシャーシベース１２０に固定され、このようにシャーシベース１２０に固定されたケーブル側コネクタ１５２と結合できるように、基板側コネクタ１４２は、印刷回路基板１４０の前方に装着されている。
【００２３】
前記ケーブル側コネクタ１５２とシャーシベース１２０との固定は、機械的なジョイントや、別途の部材により多様になされる。例えば、図４及び図５に示すように、ケーブル側コネクタ１５２のシャーシベース１２０に向かう端部には、フック形状を有する一対の固定部１５３が形成されており、シャーシベース１２０には、前記固定部１５３の一部が通過可能に挿入孔１２３が形成されている。そして、前記固定部１５３は、互いに離隔されて外側方向にそれぞれ曲げられることによって、それらの凹状の部位が外側に向かってそれぞれ位置した構造からなる。前記のような構造を有する固定部１５３は、それらの凹状の部位に、シャーシベース１２０に形成された挿入孔１２３の両側エッジがそれぞれ挿入可能となって、ケーブル側コネクタ１５２がシャーシベース１２０に固定されうる。一方、他の代案として、ケーブル側コネクタ１５２の固定部１５３を省略する代わりに、ケーブル側コネクタ１５２とシャーシベース１２０との間に接着部材として両面テープを介在させることによって、両面テープによりケーブルコネクタ１５２とシャーシベース１２０とを相互固定することも可能である。このようにケーブル側コネクタ１５２がシャーシベース１２０に隣接して設置されることによって、前記ケーブル側コネクタ１５２を通じて回路の一部をシャーシベース１２０に接地することができる。
【００２４】
前記のようにシャーシベース１２０にケーブル側コネクタ１５２が固定された状態で、図５に示すように、印刷回路基板１４０の前方に配置された基板側コネクタ１４２がケーブル側コネクタ１５２と結合されることによって、印刷回路基板１４０がシャーシベース１２０に対して装着されうるので、組立性が改善されうる。すなわち、前記印刷回路基板１４０は、端子孔１５２ａと端子ピン１４２ａとの結合力、及びケーブル側コネクタ１５２と基板側コネクタ１４２との結合力のみでも、シャーシベース１２０に対して十分に固定されて装着されうる。したがって、図１に示した従来のように、印刷回路基板２０をシャーシベース１０に装着させるために、シャーシベース１０に別途のボス１１を備える必要がなくなるので、シャーシベース１０にボス１１を形成するための工程及びコストを低減できる。さらに、ボス１１とスクリュー３０との螺合のためにかかる時間が必要なくなり、螺合により印刷回路基板２０に加えられる損傷もなくなる。
【００２５】
そして、前記ケーブル側コネクタ１５２がシャーシベース１２０にそれぞれ固定されるため、印刷回路基板１４０の間を接続させる連結ケーブル１５０のケーブル側コネクタ１５２の間に位置した配線部材１５１は、シャーシベース１２０の背面に接触して、それと平行に配置されうる。これにより、ＥＭＩが減少し、ＥＭＩの低減及び固定のために、シャーシベース１２０に配線部材１５１を別途に付着する工程を省略できる。
【００２６】
一方、前記印刷回路基板１４０が重いなどの色々な原因により、ケーブル側コネクタ１５２と基板側コネクタ１４２との結合力のみでシャーシベース１２０に対して十分に装着できない場合には、それを補助するための補助締結手段がさらに備えられることもある。前記補助締結手段としては、一例として、図５に示すように、シャーシベース１２０の背面に形成されたボス１６１、及び印刷回路基板１４０を貫通して前記ボス１６１と螺合するスクリュー１６２を備えて構成されうる。このような場合にも、ボス１６１の個数は、従来に比べて顕著に減少できるので、図１に示した従来のように、ボス１１のみでシャーシベース１０に対して印刷回路基板２０を装着させる場合より、工程及びコストの面で有利になる。
【００２７】
本発明は、添付された図面に示した一実施形態を参考に説明されたが、これは、例示的なものに過ぎず、当業者であれば、これから多様な変形及び均等な他の実施形態が可能であるという点を理解できるであろう。したがって、本発明の真の技術的保護範囲は、特許請求の範囲の記載により決まらねばならない。
【産業上の利用可能性】
【００２８】
本発明は、印刷回路基板とシャーシベースとの組立性を向上できるプラズマディスプレイ装置に適用可能である。
【図面の簡単な説明】
【００２９】
【図１】従来のシャーシベースに印刷回路基板が設置される例を説明するための分離斜視図である。
【図２】本発明の一実施形態によるプラズマディスプレイ装置を示す分離斜視図である。
【図３】図２において、シャーシベースに印刷回路基板が連結ケーブルにより装着される例を説明するための分離斜視図である。
【図４】図３において、ケーブル側コネクタと基板側コネクタとが結合される例を抜粋して示す分離斜視図である。
【図５】図３において、シャーシベースに印刷回路基板が連結ケーブルにより装着された状態を示す部分断面図である。
【符号の説明】
【００３０】
１２０    シャーシベース、
１４０    印刷回路基板、
１４１    電子部品、
１４２    基板側コネクタ、
１５０    連結ケーブル、
１５１    配線部材、
１５２    ケーブル側コネクタ。
【図１】
2006171733.tif 000003
【図２】
2006171733.tif 000004
【図３】
2006171733.tif 000005
【図４】
2006171733.tif 000006
【図５】
2006171733.tif 000007